(57)【要約】【課題】本発明は、通気性が良く、使用者の条件に応じて高さ、硬さが自由に調整でき、且つ肩こり、首残りの解消、疲労の回復に効果を発揮する枕を提供することを目的とする。【解決手段】上記課題を解決するため請求項１に記載の発明は、２個の長さの長い長尺枕部材と、長さが該長尺枕部材の半分以下の２個の短尺枕部材を具備し、前記２個の長尺枕部材を平行に配置し、該長尺枕部材と長尺枕部材の間に前記２個の短尺枕部材を該短尺枕部材と短尺枕部材の間に所定の空隙を設けて配置し、該長尺枕部材と該短尺枕部材をその隣接部で結合したことを特徴とする枕にある。【選択図】図１
2006320676.tif 000002
【特許請求の範囲】
【請求項１】
２個の長さの長い枕部材と、長さが該長尺枕部材の半分以下の２個の枕部材を具備し、前記２個の長尺枕部材と平行に配置し、該長尺枕部材と長尺枕部材の間に前記２個の短尺枕部材を該短尺部材と該短尺枕部材の間に所定の空隙を設け配置し、該長尺枕部材と短尺枕部材をその隣接部で結合したことを特徴とする枕。
【請求項２】
請求項１に記載の枕において、前記長尺枕部材及び短尺枕部材は袋状部材を具備し、該袋状部材の内部に一種類又は複数種類の各種充填物を充填した構成であることを特徴とする枕。
【請求項３】
請求項１又は２に記載の枕において、前記袋状部材は開閉自在な開口部を備え、該開口部を通して充填物の種類、量を調整できることを特徴とする枕。
【請求項４】
請求項１乃至３のいずれか１項に記載の枕において、前記長尺枕部材と短尺枕部材の結合は着脱自在であることを特徴とする枕。
【発明の詳細な説明】
【技術分野】
【０００１】本発明は、通気性が良く頭部の不快な蒸れを解消し、且つ使用者の好みに応じて高さ、充填物の種類や量を調整することにより、肩こり、首のこり、頭痛、疲労回復に寄与する枕に関する。【０００２】従来、多くの枕が開発され提案されたりするが、これらの枕の多くは通気性を考慮されておらず、頭部が蒸され、使用者に不快感を与えるものが多い。睡眠中の頭部の放熱、発汗は重要であるが、これらを考慮して製作された枕は少ない。特に我が国では四季があり、高温多湿な季節では通気性の良い枕を使用し、快眠するのは健康のために極めて重要である。【０００３】また、肩こり、首のこり、頭痛の解消、及び疲労の回復には快眠をとることが必要であるが、快眠を得るには枕が重要で、その硬さ、高さ等を使用者の条件に合わせ自由に調節できることが重要である。従来の枕の多くは、１個の枕部材からなり、使用者の条件に合わせ、硬さ、高さ等を自由に調節できる構成ではなかった。そのため、四季を通じて、使用者が快眠を得ることができる枕が少ないというのが現状である。
【特許文献】特許公開２００４−１５４３５３号広報
【発明の開示】
【発明が解決しようとする課題】
【０００４】本発明は上述の点から鑑なみてなされたもので、通気性が良く、使用者の条件に応じて高さ、硬さが自由に調整でき、且つ肩こり、首のこりの解消、疲労の回復に効果を発揮する枕を提供することを目的とする。
【課題を解決するための手段】
【０００５】上記課題を解決するため請求項１に記載の発明は、２個の長さの長い長尺枕部材と、長さが該長尺枕部材の半分以下の２個の短尺枕部材を具備し、前記２個の長尺枕部材を平行に配置し、該長尺枕部材と長尺枕部材の間に前記２個の短尺枕部材を該短尺枕部材と短尺枕部材の間に所定の空隙を設けて配置し、該長尺枕部材と該短尺枕部材をその隣接部で結合したことを特徴とする枕にある。【０００６】請求項２に記載の発明は、請求項１に記載の枕において、前記長尺枕部材及び短尺枕部材は袋状部材を具備し、該袋状部材の内部に一種類又は、複数種類の各種充填物を充填した構成であることを特徴とする。【０００７】請求項３に記載の発明は、請求項１又は２に記載の枕において、前記袋状部材は開閉自在な開口部を備え、該開口部を通して充填物の種類、量を調整できることを特徴とする。【０００８】請求項４に記載の発明は、請求項１乃至３のいずれか１項に記載の枕において、前記長尺枕部材と短尺枕部材の結合は着脱自在であることを特徴とする。
【発明の効果】
【０００９】請求項１に記載の発明によれば、４個の枕部材、即ち、２個の長尺枕部材と、２個の短尺枕部材を、２個の長尺枕部材を平行に配置し、長尺枕部材と長尺枕部材の間に２個の短尺枕部材を短尺枕部材と短尺枕部材の間に所定の空隙を設けて配置し、長尺枕部材と短尺枕部材をその隣接部で結合した構成であるので、使用者の条件に合わせ、その形状を変えることが自由であり、即ち各枕部材の位置を変えることで、使用者に最適な快眠を提供できる。特に短尺枕部材と短尺枕部材の間に空隙を設けているので、この位置に使用者の頭部を位置させることにより、発汗及び放熱が促進され、快眠が得られる。【００１０】請求項２の発明によれば、長尺枕部材及び短尺枕部材は袋状を具備し、該袋状部材の内部に一種類又は複数種類の充填物を充填した構成であるので、使用者の条件に合わせて、頭部や首の位置により、充填物の種類や量の異なる枕部材を配置することが可能となり、使用者に最適な快眠を提供できる。【００１１】請求項３に記載の発明によれば、袋状部材は開閉自在な開口部を備え、該開口部を通して充填物の種類、量を調整できるので、使用者の好みに応じて、各枕部材の充填物の種類、量を調整して、硬さ、高さ、弾力性、通気性等を調整できることにより、使用者に最適な快眠を提供できる。【００１２】請求項４に記載の発明によれば、長尺枕部材と短尺枕部材の結合は着脱自在であるので、充填物の種類や量の異なる複数の枕部材を用意しておき、使用者の好み、肩こり、首のこり、疲労状態等使用者の身体の条件に合わせて枕部材を組み合わせることができ、使用者の身体の条件にあった最適な快眠を提供できる。
【発明を実地するための最良の形態】
【００１３】以下、本発明の実施の形態を図面に基づいて説明する。図１は本発明に係る枕を示す図で、図１（ａ）は平面図、図１（ｂ）はＡ−Ａの断面図である。図１で示すように、本枕１０は２個の長さの長い長尺枕部材１１，１２と、長さが該長尺枕部材１１，１２の半分以下の２個の短尺枕部材１３，１４を備えている。そして２個の長尺枕部材１１．１２を平行に配置し、長尺枕部材１１と長尺枕部材１２の間に短尺枕部材１３と短尺枕部材１４を間に空隙１５を設け配置し、長尺枕部材１１，１２と短尺枕部材１３の隣接部、及び長尺枕部材１１，１２と短尺枕部材１４の隣接部を互いに結合部１６，１７で結合して構成されている。
【００１４】長尺枕部材１１，１２は、図２に示すように袋状部材１８を具備し、その端部１８ａに開口部が設けられ、該開口部はファスナー等の開閉治具１９が取り付けられ、開閉自在となっている。該開閉治具１９により開口部を開いて袋状部材１８内に各種充填物を充填したり、充填量を調整したり、充填物を交換できるようになっている。各種充填物としては、例えば、短尺のプラスチック製パイプ、蕎麦殻、低反発ウレタン、ビーズ等がある。袋状部材１８は、ネット状の素材、又は通気性のよい木綿等を用い、これを袋状に縫製したものである。なお、袋状部材１８の素材としては、上記以外に伸縮性のある素材、肌触りの良いタオル地や各種不織布がある。
【００１５】また、短尺枕部材１３，１４も、図３に示すように袋状部材２０を具備し、その端部２０ａに開口部が設けられ、該開口部はファスナー等の開閉治具２１が取り付けられ、開閉自在になっている。開閉治具２１により開口部を開いてから袋状部材２０内に各種充填物を充填したり、充填量を調節したり、充填物を交換できるようになっている。各種充填物としては、例えば、短尺のプラスチックパイプ、蕎麦殻、低反発ウレタン、ビーズ等がある。袋状部材２０は、袋状部材１８と同様、ネット状の素材、又は通気性のよい木綿等を用い、これを袋状に縫製したものである。なお、袋状部材２０の素材としては、上記以外に袋状部材と同様、伸縮性のある素材、肌触りのよいタオル地や各種不織布等がある。
【００１６】また、ここでは短尺枕部材１３，１４は図１で示すように、長尺枕部材１１と長尺枕部材１２の間に配置した際、その端部間に菱形の空隙１５が形成されるように端部を、くの字形状の凹みを設けているが、空隙１５は菱形に形成する必要はない。空隙１５が矩形状でもよく、その場合は端部に凹みは必要なく、直線状でもよい。
【００１７】図４は本枕１０を使用している使用者が仰向けになっている状態を示す図で、頭部２２の後ろ中央部が空隙１５に位置し、頭部２２の後ろ上部が長尺枕部材１１に位置し、首部２３及び肩部２４の後ろが長尺枕部材１２に位置している。そして頭部２２の後ろ左右部が短尺枕部材１３，１４に位置する。使用者の好みや肩こり、首のこり、疲労状態等の使用条件に応じて、長尺枕部材１１，１２の袋状部材１８の内部に充填する充填物の種類及び量を選択し、その高さ硬さなどを調整する。同様に、使用者の好みや肩こり、首のこり、疲労状態等の使用条件に応じて、短尺枕部材１３，１４の袋状部材２０の内部に充填する充填物の種類及び量を選択し、その高さ硬さ等を調整する。
【００１８】長尺枕部材１１，１２の長さや高さには格別の限定はないが、ここでは長尺枕部材１１の長さを５００ｍｍ、高さを１１０ｍｍ以下とし、長尺枕部材１２の長さを５００ｍｍ、高さを９０ｍｍ以下としている。また、短尺枕部材１３，１４の長さはそれぞれ２５０ｍｍ以下、高さは７０ｍｍ以下としている。また、長尺枕部材１１，１２と短尺枕部材１３の隣接部、及び長尺枕部材１１，１２と短尺枕部材１４の隣接部を結合する結合部１６，１７は袋状部材１８と袋状部材２０を縫製した構成でもよいが、ファスナーやマジックテープ（登録商標）で着脱自在としてもよい。
【００１９】また、２個の長尺枕部材１１，１２と、２個の短尺枕部材１３，１４をファスナーやマジックテープ（登録商標）で着脱自在としてもよいが、図５に示すように、長尺枕部材１１と短尺枕部材１３，１４はその隣接部を縫製で結合し、長尺枕部材１２と短尺枕部材１３，１４はその隣接部をファスナーやマジックテープ（登録商標）の結合器具２５で着脱自在に構成し、更に長尺枕部材１１と長尺枕部材１２にもファスナーやマジックテープ（登録商標）の結合治具２６，２６を設けてもよい。これにより、枕１０を図６に示すように、２個の短尺枕部材１３，１４が上部に位置し、２個の長尺枕部材１１，１２が下部に位置するように組むこともできる。横になってテレビなどを見るときの枕として好適である。
【００２０】長尺枕部材１１，１２や短尺枕部材１３，１４を構成する袋状部材１８，２０内に充填する充填物としては、肉厚１ｍｍ、直径５ｍｍ、長さ１０ｍｍ程度のプラスチック製の短尺パイプやビーズが好ましい。この短尺パイプやビーズは、湿気や臭気を吸収しないので枕１０を清潔に保つことができる。また、使用者の好みに応じて、蕎麦殻、低反発ウレタン、硬質ウレタン、羽毛等を使用してもよい。
【００２１】図７及び図８は本発明に係る枕１０の使用例を示す図である。図７では、膝下に図６のように組んだ枕１０を配置させ、頭部下に図１に示すような広げた状態の枕１０を配置している。図８では図６に示すように組んだ枕１０を足首下に配置している。このように本発明に係る枕１０は種々の使い方がある。
【００２２】以上本発明の実施形態を説明したが、本発明は上記実施形態に限定されるものではなく、特許請求の範囲、及び明細書と図面に記載された技術的思想の範囲内において種々の変形が可能である。
【図面の簡単な説明】
【００２３】
【図１】枕の（ａ）は平面図、（ｂ）は断面図を示した図である。
【図２】長尺枕部材の（ａ）は平面図（ｂ）は断面図を示した図である。
【図３】短尺枕部材の（ａ）は平面図（ｂ）は断面図示した図である。
【図４】枕を使用者が仰向けになり使用している状態を示した図である。
【図５】枕を着脱した状態を示した図である。
【図６】枕の着脱部を結合して組んだ立体図を示した図である。
【図７】広げた枕を頭部に、組んだ枕を膝下に配置し使用している状態を示した図である。
【図８】組んだ枕を足首の下に配置し使用している状態を示した図である。
【符号の説明】
【００２４】１０枕
１１長尺枕部材
１２長尺枕部材
１３短尺枕部材
１４短尺枕部材
１５空隙
１６結合部
１７結合部
１８袋状部材
１９開閉治具
２０袋状部材
２１開閉治具
２２頭部
２３首部
２４肩部
２５結合治具
２６結合治具
【図１】
2006320676.tif 000003
【図２】
2006320676.tif 000004
【図３】
2006320676.tif 000005
【図４】
2006320676.tif 000006
【図５】
2006320676.tif 000007
【図６】
2006320676.tif 000008
【図７】
2006320676.tif 000009
【図８】
2006320676.tif 000010